(57)【特許請求の範囲】
【請求項１】
下り信号を入力する入力端子とその信号を出力する第１及び第２の出力端子を有し、下り信号を増幅する下り増幅回路と、各出力端子から入来する上り信号を増幅する上り増幅回路とを有する双方向増幅器であって、
前記入力端子と前記第２出力端子の間の下り信号回路は、下り信号回路と上り信号回路とを分離する信号分離回路と、前記下り増幅回路と、その出力を分岐する第１分岐器と、前記第１分岐器の分岐出力部に配置されて第２出力端子から入来する上り信号を分離するための第２分岐器とを備え、
前記入力端子と前記第２出力端子の間の上り信号回路は、前記第２分岐器で分離された前記第２出力端子からの上り信号と前記第１出力端子からの上り信号とを切り換える切換スイッチと、切り換えられた信号を増幅する前記上り増幅回路とを備え、
前記第２分岐器は、入力端子が前記第２出力端子に接続され、分岐端子が前記第１分岐器の分岐出力部に接続され、出力端子が前記切替スイッチに接続されて成り、
更に前記第１出力端子は、信号分離回路を介して前記第１分岐器の出力部に接続されて下り信号を出力すると共に、前記信号分離回路、前記切換スイッチを介して前記上り増幅回路の入力部に接続されてなることを特徴とする双方向増幅器。
【発明の詳細な説明】
【０００１】
【発明の属する技術分野】
本発明は、双方向ＣＡＴＶシステムの信号伝送路の途中に介在させて信号を増幅する双方向増幅器に関する。
【０００２】
【従来の技術】
ケーブルテレビ網を利用して双方向通信を可能とした双方向ＣＡＴＶシステムでは、加入者側で発生する雑音信号が上り回線を介してセンター局に流れ込む、いわゆる流合雑音が問題となっている。特に、双方向増幅器を有する場合、その出力側である加入者宅側が開放状態にあると大きな上り雑音が発生すると共に更にその雑音を増幅することになるため、その様な場合に上り雑音をカット或いは削減する工夫が検討されている。
例えば、特開平１０−２０９７７５号公報に記載された双方向増幅器では、図３の回路ブロック図に示すように、２つの下り信号出力／上り信号入力端子２０，２１を設け、一方を下り専用とした場合、その下り専用とした端子２１に、選択操作子２２の操作に応じて信号経路にフィルタ２３を介挿させて、流合雑音の原因となる上り信号周波数帯域のノイズの侵入を遮断して流合雑音を削減する構成が示されている。
【０００３】
【発明が解決しようとする課題】
しかし上記特開平１０−２０９７７５号公報に記載の技術は、複数の下り信号出力／上り信号入力端子を設ける際に分配器２４を使用しているため、そこで上り信号が大きく減衰するため、場合によっては上り信号増幅器の追加を必要としていた。
そこで、本発明はこのような問題点に鑑み、上り信号の減衰量が小さい双方向増幅器を提供することを課題とする。
【０００４】
上記課題を解決する為に、請求項１の発明は、下り信号を入力する入力端子とその信号を出力する第１及び第２の出力端子を有し、下り信号を増幅する下り増幅回路と、各出力端子から入来する上り信号を増幅する上り増幅回路とを有する双方向増幅器であって、前記入力端子と前記第２出力端子の間の下り信号回路は、下り信号回路と上り信号回路とを分離する信号分離回路と、前記下り増幅回路と、その出力を分岐する第１分岐器と、前記第１分岐器の分岐出力部に配置されて第２出力端子から入来する上り信号を分離するための第２分岐器とを備え、前記入力端子と前記第２出力端子の間の上り信号回路は、前記第２分岐器で分離された前記第２出力端子からの上り信号と前記第１出力端子からの上り信号とを切り換える切換スイッチと、切り換えられた信号を増幅する前記上り増幅回路とを備え、前記第２分岐器は、入力端子が前記第２出力端子に接続され、分岐端子が前記第１分岐器の分岐出力部に接続され、出力端子が前記切替スイッチに接続されて成り、
更に前記第１出力端子は、信号分離回路を介して前記第１分岐器の出力部に接続されて下り信号を出力すると共に、前記信号分離回路、前記切換スイッチを介して前記上り増幅回路の入力部に接続されてなることを特徴とする。
【０００７】
【発明の実施の形態】
以下、本発明を具体化した実施の形態を、図面に基づいて詳細に説明する。図１は本発明に係る双方向増幅器の１例を示す回路ブロック図であり、１はＣＡＴＶ幹線側伝送路に接続する入力端子、２，３は何れも加入者宅の端末機器を接続する出力端子であり、そのうち２はＣＡＴＶ機器を接続するＣＡＴＶ端子、３はパーソナルコンピュータ等の通信機器を接続する通信端子である。
【０００８】
入力端子１とＣＡＴＶ端子２の間は入力側信号分離回路４により下り信号回路６ａと上り信号回路６ｂとに分離され、下り信号回路６ａには下り増幅回路７が設けられ、更にその出力側に通信端子３に信号を分岐する信号分岐手段として第１分岐器８が設けられ、その出力線が出力側信号分離回路５を介してＣＡＴＶ端子２に接続されている。尚、信号分離回路はハイパスフィルタとローパスフィルタを組み合わせて形成され、例えば下り信号周波数７０ＭＨｚ〜７７０ＭＨｚと上り周波数１０ＭＨｚ〜５５ＭＨｚを分離している。
また、上り信号回路６ｂは上り増幅回路１０を有し、出力側信号分離回路５で分離された上り信号を第１切換手段１１ａを介して入力し、増幅した出力信号を入力側信号分離回路４を介して入力端子１から出力している。
【０００９】
通信端子３は第１分岐器８、そして分離手段としての第２分岐器１３を介して接続されている。詳しく述べると、まず下り増幅回路７の出力側に設けた第１分岐器８の分岐端子を第２分岐器１３の分岐端子へ接続し、第２分岐器１３の入力端子を通信端子３に接続し、第２分岐器１３の出力端子を第２切換手段１１ｂを介して上り増幅回路１０の入力部に接続している。
【００１０】
また、第１及び第２切換手段１１ａ，１１ｂは１個の切換スイッチ１１として一体に形成され、切換スイッチ１１を図示Ｂ側端子に接続した状態、即ちＣＡＴＶ端子２からの上り信号を上り増幅回路１０に入力する状態では通信端子３からの上り信号端子は開放状態となり遮断される。そして、Ａ側端子に接続した状態、即ち通信端子３からの上り信号が上り増幅回路１０に入力される状態では、ＣＡＴＶ端子２からの上り端子はダミー抵抗１４を介して接地され、信号が遮断されるように形成されている。
【００１１】
このように、通信端子３からの上り信号を分離する分離手段として分岐器１３を使用し、その入出力端子間を通過させることで、通信端子３からの上り信号を殆ど減衰させることなくＣＡＴＶ幹線に伝送させることができる。また、ＣＡＴＶ端子２を上り増幅回路１０から切り離しても、切換スイッチをＡ側に倒すことで終端されるので、ＣＡＴＶ端子２の上り回路が開放状態になることが無い。従って、ＣＡＴＶ端子２が開放状態となっても上り雑音が増加することがない。
【００１２】
図２は本発明の他の形態を示し、分離手段にフィルタ回路を組み合わせた所謂ダイプレクサ１５を使用している。このようにダイプレクサを使用しても、使用素子数は増加するが良好な特性を得ることができる。
【００１３】
【発明の効果】
以上詳述したように、本発明によれば、分配器を使用せず、上り信号の減衰は分岐器の入出力間の減衰量のみであるので、上り信号の減衰量が大きくなることがない。特に、第２の出力端子からの上り信号を殆ど減衰させることなくＣＡＴＶ幹線に伝送させることができる。
【図面の簡単な説明】
【図１】本発明の実施の形態の１例を示す双方向増幅器の回路ブロック図である。
【図２】本発明の他の形態を示す回路ブロック図である。
【図３】従来の双方向増幅器を示す回路ブロック図である。
【符号の説明】
１・・入力端子、２・・ＣＡＴＶ端子（第１出力端子）、３・・通信端子（第２出力端子）、４，５・・信号分離回路、７・・下り増幅回路、８・・第１分岐器、１０・・上り増幅回路、１１・・切換スイッチ、１１ａ・・第１切換手段、１１ｂ・・第２切換手段、１３・・第２分岐器、１５・・ダイプレクサ。
【図１】
0004536888.tif 000002
【図２】
0004536888.tif 000003
【図３】
0004536888.tif 000004